(57)【要約】      （修正有）【課題】ＤＶＤ−Ｒ等の書き換えの困難な記録媒体（Ｒ媒体）に記録されたコピー制限されたコンテンツ情報を、再度ＨＤＤ等の他の記録媒体にムーブすることのできるコンテンツ情報管理装置、コンテンツ情報管理方法およびコンテンツ情報管理プログラムを提供する。【解決手段】記録媒体に記録されたコンテンツ情報についての記録媒体からの移動指示が入力される入力部２と、入力部２から移動が指示されたコンテンツ情報の記録された記録媒体の種類を検出する媒体検知部２３と、コンテンツ情報のコピー制限の有無を判別するコピー制限判別部と、媒体検知部２３が記憶媒体の種類がＲ媒体であると検知し、かつ、コピー制限判別部がコンテンツ情報はコピー制限されていると判別した場合に、コンテンツ情報が再度記録媒体に書き込まれないような抑止処理を行う抑止処理部９とを備えた。【選択図】図１
2006323553.tif 000002
【特許請求の範囲】
【請求項１】
記録媒体に記録されたコンテンツ情報について、前記記録媒体から移動すべき旨の指示が入力される入力部と、
前記入力部から前記指示が入力された前記コンテンツ情報の記録された前記記録媒体の種類を検出する媒体種類検出部と、
前記コンテンツ情報のコピー制限の有無を判別するコピー制限判別部と、
前記媒体種類検出部が前記記録媒体の種類が書き換えの困難な記録媒体であることを検出し、かつ、前記コピー制限判別部が前記コンテンツ情報はコピー制限されていると判別した場合に、前記コンテンツ情報が再度前記記録媒体に書き込まれないような抑止処理を前記記録媒体に対して行う抑止処理部とを備えたこと
を特徴とするコンテンツ情報管理装置。
【請求項２】
前記記録媒体からの前記コンテンツ情報の読み出し処理を行う読出処理部をさらに備え、
前記抑止処理部は、前記読出処理部による前記コンテンツ情報の読み出し処理が終了した後に、前記記録媒体に対して前記抑止処理を行うことを特徴とする請求項１に記載のコンテンツ情報管理装置。
【請求項３】
前記記録媒体からの前記コンテンツ情報の読み出し処理を行う読出処理部と、
前記読出処理部が読み出したコンテンツ情報を移動先記録媒体へ記録する処理を行う記録処理部とをさらに備え、
前記抑止処理部は、前記記録処理部による前記コンテンツ情報の記録処理が終了した後に、前記記録媒体に対して前記抑止処理を行うこと
を特徴とする請求項１に記載のコンテンツ情報管理装置。
【請求項４】
電源断が発生したことを検知する異常検知部と、
前記異常検知部が電源断を検知した場合に、電源断が発生する前に実行中であった処理を判別する異常処理判別部とをさらに備え、
前記異常処理判別部が判別した処理が前記抑止処理の必要な処理である場合に、電源断復旧処理として、電源断発生前に実行中の処理を再開すること
を特徴とする請求項１から請求項３までのいずれか１項に記載のコンテンツ情報管理装置。
【請求項５】
電源断が発生したことを検知する異常検知部と、
前記異常検知部が電源断を検知した場合に、電源断が発生する前に実行中であった処理  を判別する異常処理判別部とをさらに備え、
異常処理判別部が判別した処理が前記抑止処理の必要な処理である場合に、電源断復旧処理として、前記移動先記録媒体に記録された前記コンテンツ情報が不完全である場合に、前記移動先記録媒体に記録された前記コンテンツ情報を無効化し、前記移動先記録媒体の前記コンテンツ情報が完全である場合に、前記記録媒体に対して前記抑止処理を行うこと
を特徴とする請求項１から請求項３までのいずれか１項に記載のコンテンツ情報管理装置。
【請求項６】
前記記録媒体の取り出しを制限する制限部をさらに備え、
前記制限部は、前記読出処理部が前記コンテンツ情報の読み出し処理を行う前に前記記録媒体の取り出しを制限し、前記抑止処理部が前記抑止処理を行った後に前記記録媒体の取り出しの制限を解除すること
を特徴とする請求項１から請求項５までのいずれかに記載のコンテンツ情報管理装置。
【請求項７】
前記記録媒体の取り出しを制限する制限部をさらに備え、
前記制限部は、前記異常検知部が電源断を検知した場合に、前記記録媒体の取り出しを制限し、前記電源断復旧処理が完了した後に、前記記録媒体の取り出しの制限
を解除することを特徴とする請求項４または請求項５に記載のコンテンツ情報管理装置。
【請求項８】
前記抑止処理部は、前記記録媒体の空き容量が、前記コンテンツ情報の容量よりも小さくなるように、前記記録媒体の空き領域に所定の情報を記録することを特徴とする請求項１から請求項７までのいずれか１項に記載のコンテンツ情報管理装置。
【請求項９】
前記抑止処理部は、前記記録媒体に対してファイナライズ処理を行うことを特徴とする請求項１から請求項７までのいずれか１項に記載のコンテンツ情報管理装置。
【請求項１０】
前記抑止処理部は、前記記録媒体に記録済みの情報を所定の情報に書き換える情報書換部を備え、
前記情報書換部は、前記記録媒体に記録された前記コンテンツ情報を前記所定の情報に書き換えることを特徴とする請求項８または請求項９に記載のコンテンツ情報管理装置。
【請求項１１】
前記情報書換部は、前記コンテンツ情報の記録された領域を示したアドレス情報を有するファイルエントリ情報を書き換えないことを特徴とする請求項１０に記載のコンテンツ情報管理装置。
【請求項１２】
前記情報書換部は、前記記録媒体に記録済みの情報を前記所定の情報に書き換えることのできるだけのパワーに増幅された光線を照射する光照射部を有することを特徴とする請求項１０または請求項１１に記載のコンテンツ情報管理装置。
【請求項１３】
前記抑止処理部は、前記記録媒体のメディアキーを削除するメディアキー削除部
を有することを特徴とする請求項１から請求項７までのいずれか１項に記載のコンテンツ情報管理装置。
【請求項１４】
前記抑止処理部は、前記コンテンツ情報を前記所定の情報に書き換える際に、前記コンテンツ情報が他のコンテンツ情報とＥＣＣを共有している場合には、前記他のコンテンツ情報の有するＥＣＣを新たに作成するＥＣＣ作成部を有し、
前記情報書換部は、前記ＥＣＣ作成部によってＥＣＣが新たに作成された後に、前記コンテンツ情報を前記所定の情報に書き換えること
を特徴とする請求項１０から請求項１２までのいずれか１項に記載のコンテンツ情報管理装置。
【請求項１５】
記録媒体に記録されたコンテンツ情報について、前記記録媒体から移動すべき旨の指示が入力される第１のステップと、
前記第１のステップにおいて、指示が入力された前記コンテンツ情報の記録された前記記録媒体の種類を検出する第２のステップと、
前記コンテンツ情報のコピー制限の有無を判別する第３のステップと、
前記第２のステップにおいて、前記記録媒体の種類が書き換えの困難な記録媒体であることが検出され、かつ、前記第３のステップにおいて、前記コンテンツ情報はコピー制限されていると判別された場合に、前記コンテンツ情報が再度前記記録媒体に書き込まれないような抑止処理を前記記録媒体に対して行う第４のステップと
を備えたことを特徴とするコンテンツ情報管理方法。
【請求項１６】
コンピュータに対して、記録媒体に記録されたコンテンツ情報を前記記録媒体から移動すべき旨の指示が入力される第１のステップと、
前記第１のステップにおいて、指示が入力された前記コンテンツ情報の記録された前記記録媒体の種類を検出する第２のステップと、
前記コンテンツ情報のコピー制限の有無を判別する第３のステップと、
前記第２のステップにおいて、前記記録媒体の種類が書き換えの困難な記録媒体であることが検出され、かつ、前記第３のステップにおいて、前記コンテンツ情報はコピー制限されていると判別された場合に、前記コンテンツ情報が再度前記記録媒体に書き込まれないような抑止処理を前記記録媒体に対して行う第４のステップと
を実行させることを特徴とするコンテンツ情報管理プログラム。
【発明の詳細な説明】
【技術分野】
【０００１】
本発明は、映像、音声等のデジタルコンテンツ情報を管理するコンテンツ情報管理装置、コンテンツ情報管理方法およびコンテンツ情報管理プログラムに関する。
【背景技術】
【０００２】
従来から、映像や音声等のいわゆるデジタルコンテンツ情報（以下、単にコンテンツ情報と記す）は、その情報をコピーすることによって、極めて劣化の少ない情報を得ることができることから、そのコンテンツ情報のコピーを制限して、著作権保護を行うための様々な方法が提案されてきている。
【０００３】
例えば、映画、音楽等のコンテンツ情報について、その著作権保護を図るために、ＳＣＭＳ（Ｓｅｒｉａｌ  Ｃｏｐｙ  Ｍａｎａｇｅｍｅｎｔ  Ｓｙｓｔｅｍ）という手法が知られており、この手法によれば、ＣＤやＤＶＤ等のデジタルメディアからのコピーを一世代のみ許可することができ、それ以上のコピーを制限することができる。
【０００４】
また、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）と呼ばれる技術も実用化されている。この技術によれば、コンテンツ情報は、そのコンテンツ情報が記憶されるＤＶＤ、ＣＤ等の記録媒体（以下、メディアとも記す）毎に特有のキー情報（以下、メディアキーと記す）を用いて暗号化された状態で記録されており、このコンテンツ情報を再生するためには、必ずこのメディアキーを用いて復号化を行う必要がある。よって、ＣＰＲＭによって暗号化された状態で一の記録媒体に記録されたコンテンツ情報を他の記録媒体に単にコピーしても、再生の際には、暗号化されたときのメディアキー（一の記録媒体のキー情報）が存在しないので、他の記録媒体上では復号化できず、再生できない。その結果、コンテンツホルダの著作権を保護することが可能であった。
【０００５】
さらに、近年、ＢＳデジタル放送、１１０度ＣＳデジタル放送および地上波デジタル放送等のデジタル放送が開始されている。これらのデジタル放送において放送局から送出されるコンテンツ情報も、いわゆるデジタル情報であるので、そのコピーを行った場合に、極めて劣化の少ない情報を得ることができることは上述した例と同じである。このようなコンテンツ情報のコピー行為を制限するために、デジタル放送においては、コンテンツ情報毎にコピーを制限するための情報（ＣＣＩ：Ｃｏｐｙ  Ｃｏｎｔｒｏｌ  Ｉｎｆｏｒｍａｔｉｏｎとも呼ばれる）が付与されており、不正な者によるコピー行為が制限されている。
【０００６】
このようなデジタル放送されたコンテンツ情報が、家庭用の録画装置で記録媒体に録画される場合には、コンテンツ情報には、前述のＣＣＩが付与されるとともに、前述のＣＰＲＭ等によって、記録媒体に特有のメディアキーを用いて暗号化されて記録される。従来から、このようなＣＣＩが付与された状態で記録媒体に記録されたコンテンツ情報を、他の記録媒体に移動させる（以下、この移動をムーブ、または、ＭＯＶＥとも記す）ことが望まれており、このような課題を解決するために、一の記録媒体に記録されたコピー制限されたコンテンツ情報を、一の記録媒体から削除することを条件として、他の記録媒体にムーブすることのできる技術が提案されている（例えば、特許文献１を参照）。
【特許文献１】特開２００２−２３８０２３号公報
【発明の開示】
【発明が解決しようとする課題】
【０００７】
しかしながら、メディアキーで暗号化されたコンテンツ情報に対して、上述したような技術を適用した場合、前記コンテンツ情報を予めＰＣ等に複製しておき、メディアからコンテンツ情報を録画装置内のＨＤＤ等へ正当な手段によってムーブした後で、ＰＣ等に複製しておいたコンテンツ情報をメディアへ戻すことによってＨＤＤへムーブされたコンテンツ情報とメディア内に戻されたコンテンツ情報とが同時に再生可能となってしまうという問題があった。すなわち、ＨＤＤ等へムーブされたコンテンツ情報は正当なムーブによって移動されたコンテンツ情報であるために当然再生可能であり、さらに、ＰＣ等に複製されたコンテンツ情報はメディアキーによって暗号化されたコンテンツ情報であるためそのメディアキーを持つメディアに戻すことにより再生可能となってしまう。
【０００８】
一方で、手軽に低コストで入手可能なＤＶＤ−Ｒ（ＤＶＤ＋Ｒも含む）等のいわゆる書き換えの困難な記録媒体（以下、このような記録媒体のことをＲ媒体と記す）が、ユーザに広く受け入れられており、自らがＨＤＤ等に録画したコピー制限されたコンテンツ情報を、Ｒ媒体にバックアップしておき、後々、再度ＨＤＤ等に戻したり、別の媒体へムーブしたいという要求や、ムーブした上で、家族や友人等に貸与して、その返却を受けた後に、再度そのコンテンツ情報を、もとのＨＤＤ等にムーブしたい、という要求が高まってきている。そのため、コンテンツホルダの権利保護と利用者の利便性とを両立させることの出来るコンテンツ情報管理装置が求められている。
【０００９】
本発明はこのような課題に鑑みてなされたものであり、いわゆるＲ媒体に記録されたコピー制限されたコンテンツ情報を、再度ＨＤＤ等の他の記録媒体にムーブすることのできるコンテンツ情報管理装置、コンテンツ情報管理方法およびコンテンツ情報管理プログラムを提供することを目的とする。
【課題を解決するための手段】
【００１０】
本発明のコンテンツ情報管理装置は、記録媒体に記録されたコンテンツ情報について、記録媒体から移動すべき旨の指示が入力される入力部と、入力部から指示が入力されたコンテンツ情報の記録された記録媒体の種類を検出する媒体種類検出部と、コンテンツ情報のコピー制限の有無を判別するコピー制限判別部と、媒体種類検出部が記録媒体の種類が書き換えの困難な記録媒体であることを検出し、かつ、コピー制限判別部がコンテンツ情報はコピー制限されていると判別した場合に、コンテンツ情報が再度記録媒体に書き込まれないような抑止処理を記録媒体に対して行う抑止処理部とを備えたことを特徴としている。
【００１１】
このような構成により、コピー制限されたコンテンツ情報であって、いわゆるＲ媒体に記憶されているコンテンツ情報をムーブすべき指示が入力されたときは、抑止処理部が、そのコンテンツ情報がムーブされた他の記録媒体から再度移動されて記録媒体に書き込まれないような抑止処理を行うので、いわゆるＲ媒体に記録されたコピー制限されたコンテンツ情報を他の記録媒体にムーブする前に、ＰＣ等にコピーしておいて、ムーブ後に再度ムーブ元の記録媒体に戻して視聴される不正行為を防ぐことのできるコンテンツ情報管理装置を提供することができる。
【００１２】
また、記録媒体からのコンテンツ情報の読み出し処理を行う読出処理部をさらに備え、抑止処理部は、読出処理部によるコンテンツ情報の読み出し処理が終了した後に、記録媒体に対して抑止処理を行う構成であってもよい。
【００１３】
このような構成によれば、さらに、読出処理部による、コンテンツ情報の読み出し処理が終了した後に、抑止処理を行うので、コンテンツ情報をより確実に他の記録媒体にムーブさせることのできる構成を実現できる。
【００１４】
また、記録媒体からのコンテンツ情報の読み出し処理を行う読出処理部と、読出処理部が読み出したコンテンツ情報を移動先記録媒体へ記録する処理を行う記録処理部とをさらに備え、抑止処理部は、記録処理部によるコンテンツ情報の記録処理が終了した後に、記録媒体に対して抑止処理を行う構成であってもよい。
【００１５】
このような構成によれば、さらに、記録処理部による、コンテンツ情報の記憶処理が終了した後に、抑止処理を行うので、コンテンツ情報をより確実に他の記録媒体にムーブさせることのできる構成を実現できる。
【００１６】
さらに、電源断が発生したことを検知する異常検知部と、異常検知部が電源断を検知した場合に、電源断が発生する前に実行中であった処理を判別する異常処理判別部とをさらに備え、異常処理判別部が判別した処理が抑止処理の必要な処理である場合に、電源断復旧処理として、電源断発生前に実行中の処理を再開する構成であってもよい。
【００１７】
このような構成によれば、さらに、抑止処理が必要な処理が行われている間に電源断が起こったとしても電源断復旧処理として、電源断発生前に実行中の処理を再開するので、抑止処理が必要な処理の最中に電源断が起こったとしても抑止処理が中止されない。
【００１８】
また、電源断が発生したことを検知する異常検知部と、異常検知部が電源断を検知した場合に、電源断が発生する前に実行中であった処理を判別する異常処理判別部とをさらに備え、異常処理判別部が判別した処理が抑止処理の必要な処理である場合に、電源断復旧処理として、移動先記録媒体に記録されたコンテンツ情報が不完全である場合に、移動先記録媒体に記録されたコンテンツ情報を無効化し、移動先記録媒体の前記コンテンツ情報が完全である場合に、記録媒体に対して抑止処理を行う構成であってもよい。
【００１９】
このような構成によれば、さらに、電源断が起こると、電源断復旧処理として、移動先記録媒体に記録されたコンテンツ情報が不完全である場合には移動先記録媒体に記録されたコンテンツ情報を無効化し、移動先記録媒体の前記コンテンツ情報が完全である場合には記録媒体に対して抑止処理を行うため、不完全なコンテンツ情報が移動先記録媒体に記録されることを防ぐことが出来る。
【００２０】
さらに、記録媒体の取り出しを制限する制限部をさらに備え、制限部は、読出処理部がコンテンツ情報の読み出し処理を行う前に記録媒体の取り出しを制限し、抑止処理部が抑止処理を行った後に記録媒体の取り出しの制限を解除する構成であってもよい。
【００２１】
このような構成によれば、さらに、読出処理部による読出処理および抑止処理部による抑止処理の行われている間には、記録媒体の取り出しが制限されるので、例えば、読み出し処理が行われた後、抑止処理の行われるまでの間に記録媒体が取り出されることにより、コピー制限されたコンテンツ情報が他の記録媒体に流出することを防止することができる。
【００２２】
また、制限部は、異常検知部が電源断を検知した場合に、記録媒体の取り出しを制限し、電源断復旧処理が完了した後に、記録媒体の取り出しの制限を解除する構成であってもよい。
【００２３】
このような構成によれば、電源断が起こった場合には記録媒体を取り出せなくなるため、抑止処理中に電源断を起こして記録媒体を抜き取ることにより、抑止処理の行われていない記録媒体を奪われる不正行為を防ぐことができる。
【００２４】
さらに、抑止処理部は、記録媒体の空き容量が、コンテンツ情報の容量よりも小さくなるように、記録媒体の空き領域に任意の情報を記録する構成であってもよい。
【００２５】
このような構成によれば、さらに、コンテンツ情報が他の記録媒体にムーブされた後に、そのムーブされたコンテンツ情報が再度ムーブ元の記録媒体に戻すことのできるだけの空き領域がなくなるため、コンテンツ情報を他の記録媒体にムーブする前に、ムーブ対象となるコンテンツ情報をＰＣ等にコピーしておいて、ムーブ後に再度ムーブ元の記録媒体に戻して視聴される不正行為を防ぐことが可能である。
【００２６】
また、抑止処理部は、記録媒体に対してファイナライズ処理を行う構成であってもよい。
【００２７】
このような構成によると、さらに、コンテンツ情報が他の記録媒体にムーブされた後に、ムーブ元の記録媒体が追記不可能となるため、コンテンツ情報を他の記録媒体にムーブする前に、ムーブ対象となるコンテンツ情報を他のコンピュータ等にコピーしておいて、ムーブ後に再度ムーブ元の記録媒体に戻して視聴される不正行為を防ぐことが可能である。
【００２８】
また、抑止処理部は、記録媒体に記録済みの情報を所定の情報に書き換える情報書換部を備え、抑止処理部は、記録媒体の空き容量が、コンテンツ情報の容量よりも小さくなるように、記録媒体に任意の情報を記録するとともに、情報書換部は、記録媒体に記録されたコンテンツ情報を所定の情報に書き換える構成であってもよい。
【００２９】
このような構成によれば、さらに、ムーブ処理後に、記録媒体の空き容量を、ムーブ対象となるコンテンツ情報の容量よりも少なくし、かつ、記録媒体におけるコンテンツ情報を、所定の情報に書き換えるので、ムーブ後の記録媒体からコンテンツ情報を読み出すことのできない、著作権保護に優れた構成を実現することができる。
【００３０】
また、抑止処理部は、記録媒体に記録済みの情報を所定の情報に書き換える情報書換部を備え、抑止処理部は、記録媒体に対してファイナライズ処理するとともに、情報書換部は、記録媒体に記録されたコンテンツ情報を所定の情報に書き換える構成であってもよい。
【００３１】
このような構成によれば、さらに、ムーブ処理後に、記録媒体をファイナライズ処理して、かつ、記録媒体におけるコンテンツ情報を、所定の情報に書き換えるので、ムーブ後の記録媒体からコンテンツ情報を読み出すことのできない、著作権保護に優れた構成を実現することができる。
【００３２】
さらに、コンテンツ情報はコンテンツ情報が記憶されたアドレス情報を含むファイルエントリ情報を有し、情報書換部は、コンテンツ情報を所定の情報に書き換える際に、ファイルエントリ情報は書き換えない構成であってもよい。
【００３３】
このような構成によれば、さらに、コンテンツ情報が所定の情報に書き換えられた際にも、ファイルエントリ情報は書き換えられないので、記録媒体上にムーブされたコンテンツが存在したことをムーブ後に検知し得る構成を実現することができる。さらに、ファイルエントリ情報が書き換えられないことにより、記録媒体のファイル構造が保持されるため、一度、抑止処理を実行した記録媒体に対しても、ムーブされたコンテンツ情報とは異なるコンテンツ情報については、コンテンツ情報がムーブされる前と同様にアクセスすることができるため、同一の記憶媒体上のコンテンツそれぞれについて個別にムーブさせることが可能となる。
【００３４】
さらに、情報書換部は、記録媒体に記録済みの情報を所定の情報に書き換えることのできるだけのパワーに増幅された光線を照射する光照射部を有する構成であってもよい。
【００３５】
このような構成によれば、さらに、いわゆるＲ媒体において、記録済みの領域であっても、所定の情報を書き込むことのできる構成を実現することができる。
【００３６】
また、抑止処理部は、記録媒体のメディアキーを削除するメディアキー削除部を有する構成であってもよい。
【００３７】
このような構成によれば、さらに、抑止処理部が記録媒体のメディアキーを削除するメディアキー削除部を有するので、ムーブ処理後に、記録媒体のメディアキーを削除することにより、ムーブ処理後、その記録媒体においては、ＣＰＲＭ等のメディアキーを用いて復号化を行うようなコンテンツ情報の再生ができなくなり、より高度なコンテンツホルダの著作権保護を実現可能な構成を実現することができる。
【００３８】
また、抑止処理部は、コンテンツ情報を所定の情報に書き換える際に、コンテンツ情報が他のコンテンツ情報とＥＣＣを共有している場合には、他のコンテンツ情報を有するＥＣＣを新たに作成するＥＣＣ作成部を有し、情報書換部は、ＥＣＣ作成部によってＥＣＣが新たに作成された後に、コンテンツ情報を所定の情報に書き換える構成であってもよい。
【００３９】
このような構成によれば、さらに、ムーブ対象となるコンテンツ情報が、他のコンテンツ情報とＥＣＣを構成しているような場合にも、他のコンテンツ情報に影響を与えることなく、ムーブ対象となるコンテンツ情報のみの書き換えが可能な構成を実現することができる。
【００４０】
次に、本発明のコンテンツ情報管理方法は、記録媒体に記録されたコンテンツ情報について、記録媒体から移動すべき旨の指示が入力される第１のステップと、第１のステップにおいて、指示が入力されたコンテンツ情報の記録された記録媒体の種類を検出する第２のステップと、コンテンツ情報のコピー制限の有無を判別する第３のステップと、第２のステップにおいて、記録媒体の種類が書き換えの困難な記録媒体であることが検出され、かつ、第３のステップにおいて、コンテンツ情報はコピー制限されていると判別された場合に、コンテンツ情報が再度記録媒体に書き込まれないような抑止処理を記録媒体に対して行う第４のステップとを備えたことを特徴としている。
【００４１】
このような方法により、コピー制限されたコンテンツ情報であって、いわゆるＲ媒体に記憶されているコンテンツ情報をムーブすべき指示が入力されたときは、そのコンテンツ情報がムーブされた他の記録媒体から再度移動されて記録媒体に書き込まれないような抑止処理を行うので、いわゆるＲ媒体に記録されたコピー制限されたコンテンツ情報を他の記録媒体にムーブする前に、他のコンピュータ等にコピーしておいて、ムーブ後に再度ムーブ元の記録媒体に戻して視聴される不正行為を防ぐことのできるコンテンツ情報管理方法を提供することができる。
【００４２】
次に、本発明のコンテンツ情報管理プログラムは、コンピュータに対して、記録媒体に記録されたコンテンツ情報を前記記録媒体から移動すべき旨の指示が入力される第１のステップと、第１のステップにおいて、指示が入力されたコンテンツ情報の記録された記録媒体の種類を検出する第２のステップと、コンテンツ情報のコピー制限の有無を判別する第３のステップと、第２のステップにおいて、記録媒体の種類が書き換えの困難な記録媒体であることが検出され、かつ、第３のステップにおいて、コンテンツ情報はコピー制限されていると判別された場合に、コンテンツ情報が再度記録媒体に書き込まれないような抑止処理を記録媒体に対して行う第４のステップとを実行させることを特徴としている。
【００４３】
このような構成により、コピー制限されたコンテンツ情報であって、いわゆるＲ媒体に記憶されているコンテンツ情報をムーブすべき指示が入力されたときは、そのコンテンツ情報がムーブされた他の記録媒体から再度移動されて記録媒体に書き込まれないような抑止処理を行うので、いわゆるＲ媒体に記録されたコピー制限されたコンテンツ情報を他の記録媒体にムーブする前に、他のコンピュータ等にコピーしておいて、ムーブ後に再度ムーブ元の記録媒体に戻して視聴される不正行為を防ぐことのできるコンテンツ情報管理プログラムを提供することができる。
【発明の効果】
【００４４】
以上述べたように、本発明によれば、いわゆるＲ媒体に記録されたコピー制限されたコンテンツ情報の著作権保護を実現しつつ、かつ、再度ＨＤＤ等の他の記録媒体にムーブすることのできるコンテンツ情報管理装置、コンテンツ情報管理方法およびコンテンツ情報管理プログラムを提供することができる。
【発明を実施するための最良の形態】
【００４５】
以下、本発明の実施の形態について図面を用いて詳細に説明する。
【００４６】
（実施の形態１）
まず、本発明の実施の形態１におけるコンテンツ情報管理装置１について説明する。図１は、本発明の実施の形態１におけるコンテンツ情報管理装置１の概略構成を示すブロック図である。
【００４７】
図１に示したように、本発明の実施の形態１におけるコンテンツ情報管理装置１は、ＨＤＤ装置３０およびＤＶＤ装置２０の二つのドライブ装置を備えた、いわゆる録画再生装置である。
【００４８】
ＨＤＤ装置３０は、映像、音声、静止画像等のコンテンツ情報を含む情報を記録するＨＤＤ３１と、ＨＤＤ３１を駆動するＨＤＤ駆動部３２とを有する。
【００４９】
ＤＶＤ装置２０は、取り出し可能な、映像、音声、静止画像等のコンテンツ情報の記録されたＤＶＤ（Ｄｉｇｉｔａｌ  Ｖｅｒｓａｔｉｌｅ  Ｄｉｓｋ）２１と、ＤＶＤ２１の取り出しを制限する開閉部２２と、ＤＶＤ２１に対して情報の書込みを行ったり、ＤＶＤ２１から情報の読み出しを行ったりするヘッド部２４、ＤＶＤ２１の媒体の種類（少なくとも情報の書き換えが可能な媒体か否か）を検知する媒体検知部２３、および、開閉部２２、ヘッド部２４および媒体検知部２３を駆動するＤＶＤ駆動部２５を有する。なお、図示しないが、本発明の実施の形態１におけるＤＶＤ装置２０は、ＤＶＤ２１を回転させるスピンドルモータを有しており、そのスピンドルモータの回転もＤＶＤ駆動部２５によって駆動されているものとする。
【００５０】
本発明の実施の形態１におけるコンテンツ情報管理装置１は、ユーザからのコンテンツ情報の移動を指示する入力を含む様々な入力が行われる入力部２、入力部２から入力された指示に基づいて、後述するように、コンテンツ情報管理部４、ファイル管理部６、ＤＶＤ駆動部２５、読出／書込部１１または出力部１４等に対して様々な制御を行う制御部３、ＤＶＤ装置２０のＤＶＤ２１に記録されたコンテンツ情報の読み出し等のファイル管理を行うファイル管理部６、ファイル管理部６によって読み出されたコンテンツ情報についての管理情報（以下、コンテンツ管理情報と記す）を記憶するコンテンツ管理情報記憶部５、コンテンツ管理情報記憶部５に記憶されたコンテンツ管理情報にもとづいてコンテンツ情報がムーブ可能か否か等の判定を含むコンテンツ情報の管理を行うコンテンツ情報管理部４、ファイル管理部６によって読み出されたＤＶＤ２１に記憶されたコンテンツ情報をＤＶＤ２１のメディアキーを用いてデコードするデコード部１０、デコード部１０でデコードされたコンテンツ情報のＨＤＤ３１への書込み処理およびＨＤＤ３１からのコンテンツ情報の読み出し処理を含む処理を行う読出／書込部１１、ならびに、デコード部１０でデコードされたコンテンツ情報や、制御部３で作成されたＧＵＩ情報を出力する出力部１４を備える。
【００５１】
本発明の実施の形態１におけるコンテンツ情報管理装置１のファイル管理部６は、さらに、制御部３の指示に基づいて、ＤＶＤ装置２０のＤＶＤ２１からコンテンツ情報およびコンテンツ管理情報を含む情報の読み出し処理を行う読出処理部７、ＤＶＤ２１にコンテンツ情報を含む情報の書込み処理を行う書込処理部８、ならびに、ＤＶＤ２１に対して、後述するような抑止処理を行う抑止処理部９を有する。
【００５２】
また、本発明の実施の形態１におけるコンテンツ情報管理装置１の読出／書込部１１は、制御部３からの指示に基づいて、ＨＤＤ装置３０のＨＤＤ３１からコンテンツ情報を含む情報をデコードして読み出す読出部１２、および、ＨＤＤ３１にコンテンツ情報を含む情報をエンコードして書き込む書込部１３を有する。
【００５３】
ここで、本発明の実施の形態１におけるコンテンツ情報管理装置１のコンテンツ管理情報記憶部５に記憶されるコンテンツ管理情報について説明する。図２は、本発明の実施の形態１におけるコンテンツ情報管理装置１のコンテンツ管理情報記憶部５に記憶されるコンテンツ管理情報の一例を示す図である。
【００５４】
図２に示したように、本発明の実施の形態１におけるコンテンツ情報管理装置１のコンテンツ管理情報記憶部５は、ＤＶＤ２１に記録されたコンテンツ情報それぞれについての、コンテンツＩＤ、記録アドレス、容量およびコピー制限情報を有するコンテンツ情報管理テーブル４１、ならびに、ＤＶＤ装置２０にロードされたＤＶＤ２１についての、媒体の種類、全容量、記録済み容量、空き容量およびファイナライズの有無についての情報を有する記録媒体管理テーブル４２を備えている。
【００５５】
まず、図２（ａ）のコンテンツ情報管理テーブル４１に示したように、本発明の実施の形態１におけるコンテンツ情報管理装置１のＤＶＤ装置２０にロードされたＤＶＤ２１には、コンテンツＩＤが、「Ａ」、「Ｂ」、「Ｃ」および「Ｄ」の４つのコンテンツ情報が記録されており、それぞれの記録アドレスは、「０（番地）〜１０００（番地）」、「１００１（番地）〜６０００（番地）」、「６００１（番地）〜１４０００（番地）」および「１４００１（番地）〜１８０００（番地）」であり、それぞれの容量は、「１００（ＭＢ）」、「５００（ＭＢ）」、「８００（ＭＢ）」および「４００（ＭＢ）」であり、それぞれのコンテンツ情報のコピー制限情報は、「ＣｏｐｙＮｅｖｅｒ（コピー禁止）」、「ＣｏｐｙＦｒｅｅ（コピー自由）」、「ＣｏｐｙＮｅｖｅｒ」および「ＣｏｐｙＮｅｖｅｒ」であることが分かる。
【００５６】
また、図２（ｂ）の記録媒体管理テーブル４２に示したように、本発明の実施の形態１におけるコンテンツ情報管理装置１のＤＶＤ装置２０にロードされたＤＶＤ２１は、その媒体の種類が「ＤＶＤ−Ｒ（情報の上書きが困難な媒体）」であり、その全容量が「３９５０（ＭＢ）」であり、その記録済み容量が１８００（ＭＢ）であり、空き容量が２１５０（ＭＢ）であり、媒体のファイナライズ処理（以降、媒体に対する情報の書込みが不可能になるような処理）が「未」、すなわちファイナライズされていないことが分かる。
【００５７】
なお、コンテンツ情報管理テーブル４１はＤＶＤ２１に記録されたナビゲーションファイル（ＩＦＯファイル）をファイル管理部６の読出処理部７によって読み出すことによって、コンテンツ情報の配置を得ることで作成することが可能である。また、記録媒体管理テーブル４２は媒体検知部２３がＤＶＤ２１の物理領域の情報を読み出すことによって作成することが可能である。
【００５８】
次に、本発明の実施の形態１におけるコンテンツ情報管理装置１の動作について説明する。図３は、本発明の実施の形態１におけるコンテンツ情報管理装置１の動作ステップについて説明するためのフローチャートである。
【００５９】
ここでは、コンテンツ情報管理装置１のＤＶＤ装置２０には、図２（ｂ）の記録媒体管理テーブル４２に示したＤＶＤ２１（すなわち、媒体がＲ媒体であり、全容量が３９５０ＭＢ、記録済み容量が１８００ＭＢ、空き容量が２１５０ＭＢであって、ファイナライズ処理がなされていないもの）がロードされており、そのＤＶＤ２１には、図２（ａ）のコンテンツ情報管理テーブル４１に示した４つのコンテンツ情報（コンテンツＩＤが「Ａ」、「Ｂ」、「Ｃ」および「Ｄ」の４つ）が記録されているものとする。
【００６０】
また、本発明の実施の形態１においては、コンテンツ情報管理装置１のＤＶＤ装置２０にロードされたＤＶＤ２１に記録されたコンテンツＩＤが「Ｃ」であるコンテンツ情報（すなわち、記録アドレスが６００１番地から１４０００番地であって、容量が８００ＭＢで、コピー制限を有するコンテンツ情報）が、コンテンツ情報管理装置１のＨＤＤ装置３０のＨＤＤ３１にムーブされる場合を用いて説明する。
【００６１】
図３に示したように、まず、ユーザから、コンテンツ情報管理装置１の入力部２に、「ＤＶＤ２１に記録された、コンテンツＩＤ「Ｃ」のコンテンツ情報を、ＨＤＤ３１にムーブしたい」旨の入力がなされる（Ｓ１）。この入力は、例えば、制御部３によって作成されたＧＵＩ（Ｇｒａｐｈｉｃａｌ  Ｕｓｅｒ  Ｉｎｔｅｒｆａｃｅ）等を、出力部１４を通してユーザに対して提示し、そのＧＵＩに対してユーザが入力部２に入力することによって行うことができる。
【００６２】
次に、制御部３は、入力部２からのユーザのコンテンツ情報のムーブ要求にもとづいて、ＤＶＤ駆動部２５に命じて、ＤＶＤ装置２０の開閉部２２の開閉を制限させる（Ｓ２）。これにより、ユーザは、ＤＶＤ２１を取り出すことができなくなる。
【００６３】
次に、制御部３は、コンテンツ情報管理部４に対して、ムーブ対象コンテンツ情報がムーブ可能か否かを問い合わせ、コンテンツ情報管理部４は、コンテンツ管理情報記憶部５に記憶されたコンテンツ管理情報にもとづいて、ムーブ対象コンテンツ情報（本実施の形態においては、コンテンツＩＤが「Ｃ」のコンテンツ情報）がムーブ可能か否かを判定する（Ｓ２）。具体的には、コンテンツ情報管理部４は、コンテンツ管理情報記憶部５に記憶されたコンテンツ情報管理テーブル４１および記録媒体管理テーブル４２を参照する。
【００６４】
まず、コンテンツ情報管理部４は、コンテンツ情報管理テーブル４１を参照して、ムーブ対象コンテンツ情報に、コピー制限情報が付加されているか否かを判定する（Ｓ４）。ムーブ対象コンテンツ情報に、コピー制限情報が付加されている場合（本実施の形態においては、ＣｏｐｙＮｅｖｅｒコンテンツである場合）には、ステップＳ６に進む。一方、ムーブ対象コンテンツ情報に、コピー制限情報が付加されていない場合（本実施の形態においては、ＣｏｐｙＦｒｅｅコンテンツである場合）には、コンテンツ情報管理部４は、制御部３に対して、ムーブ対象コンテンツ情報がコピー制限のない情報であるので、コピー可能である旨を知らせ、制御部３は、ファイル管理部６に対して、ムーブ対象コンテンツ情報を読み出させて、デコード部１０および読出／書込部１１を通してＨＤＤ３１に書き込ませる（Ｓ５）。
【００６５】
ステップＳ６においては、コンテンツ情報管理部４が、記録媒体管理テーブル４２を参照して、ＤＶＤ２１が、いわゆるＲ媒体であるか否かを判定する（Ｓ６）。コンテンツ情報管理部４が、ＤＶＤ２１が、いわゆるＲ媒体ではないと判定した場合、すなわち、記録された情報の書き換えが可能であると判定した場合（例えば、媒体がＤＶＤ−ＲＡＭであった場合や、ＤＶＤ−ＲＷまたはＤＶＤ＋ＲＷであった場合等）には、制御部３にその旨を通知して、制御部３は、書き換えが可能な媒体に対してムーブ不可の旨を表示するように出力部１４に通知する（Ｓ７）。なお、ここでムーブを不可としている理由は、書き換え可能な媒体に対しては抑止処理を実行することができないためにＰＣ等に複製されたコンテンツ情報を媒体に戻すという不正行為を防げないからである。ただし、後に記述するその他変形例のように、書き換え可能な媒体のメディアキーを強制的に読み出し不能にするのであれば、このような危険性を軽減することができるので、書き換え可能な媒体に対してもムーブを可能にしても良い。
【００６６】
一方で、ステップＳ６において、コンテンツ情報管理部４が、ＤＶＤ装置２０にロードされた記録媒体の種類が、Ｒ媒体であると判定した場合には、制御部３に対してその旨、および、抑止処理を行えばコンテンツ情報のムーブが可能であることを通知して、制御部３は、コンテンツ情報管理部４およびファイル管理部６に対して、以下の処理を行わせる。このとき、制御部３が、出力部１４を通じて、抑止処理を伴うムーブを行ってよいかをユーザに問いかけ、その問いかけに対してユーザが入力部２を通じて入力を行う構成とすれば、ユーザが抑止処理を伴うムーブを好まない場合には、そのようなムーブを行わないことができる。
【００６７】
続いて、制御部３は、コンテンツ情報管理部４に対して、Ｒ媒体であるＤＶＤ２１の空き容量を検知させる（Ｓ８）。コンテンツ情報管理部４は、コンテンツ管理情報記憶部５に記憶された、コンテンツ管理情報の記録媒体管理テーブル４２を参照して、空き容量を制御部３に返す。本実施の形態においては、２１５０ＭＢという値がコンテンツ情報管理部４から制御部３に送られる。
【００６８】
次に、制御部３は、ファイル管理部６に命じて、ＤＶＤ２１に記録されたムーブ対象コンテンツ情報（本実施の形態においては、コンテンツＩＤが「Ｃ」であるコンテンツ情報）をＨＤＤ３１に対してムーブさせる（Ｓ９）。具体的には、制御部３がファイル管理部６の読出処理部７に対して、ムーブ対象コンテンツ情報のムーブ指示を行い、読出処理部７が、ＤＶＤ駆動部２５に命じて、ヘッド部２４を通して、ＤＶＤ２１に記録されたムーブ対象コンテンツ情報を読み出す。ヘッド部２４によって読み出されたコンテンツ情報は、ファイル管理部６からデコード部１０に送られて、デコードされた後に、読出／書込部１１に送られ、読出／書込部１１の書込部１３によってＨＤＤ３１向けにエンコードされて、ＨＤＤ駆動部３２を介して、ＨＤＤ３１の記録媒体上に書き込まれる。これにより、Ｒ媒体であるＤＶＤ２１に記録されていた、コピー制限されたムーブ対象コンテンツ情報たるコンテンツＩＤ「Ｃ」のコンテンツ情報が、ＨＤＤ３１上にコピーされたこととなる。
【００６９】
この状態では、ＤＶＤ２１とＨＤＤ３１という異なる媒体上に、コピー制限されたコンテンツ情報がそれぞれ存在し、コンテンツホルダの意向に反する可能性があるので、本発明の実施の形態１におけるコンテンツ情報管理装置１においては、ファイル管理部６の書込処理部８が、ＤＶＤ２１におけるムーブ対象コンテンツ情報に対応するＶＡＴ（Ｖｉｒｔｕａｌ  Ａｌｌｏｃａｔｉｏｎ  Ｔａｂｌｅ）アドレス変換情報を追記することによって、再度、ムーブ対象コンテンツ情報を視聴できないようにする処理を行う。
【００７０】
次に、本発明の実施の形態１におけるコンテンツ情報管理装置１は、以下に述べるような、抑止処理をＤＶＤ２１に対して行う（Ｓ１０）。
【００７１】
ステップＳ９において、ムーブ対象コンテンツ情報が、ＤＶＤ２１からＨＤＤ３１に対してムーブされたことを確認した後に、制御部３は、ファイル管理部６に対して、所定の抑止処理を行うように指示する。ここで、抑止処理とは、ムーブ対象コンテンツ情報が他の記録媒体に対してムーブされた後に、再度、別の記録媒体からムーブ対象コンテンツ情報がムーブされてくることを抑止する処理のことをいう。
【００７２】
具体的に説明する。図４は、本発明の実施の形態１におけるコンテンツ情報管理装置１における抑止処理を説明するための図である。本発明の実施の形態１において、コンテンツ情報管理装置１のＤＶＤ２１には、前述の図２（ａ）に示したような、４つのコンテンツ情報が記録されているものとする（なお、説明を簡単にするため、コンテンツ情報以外の情報は図示していない）。前述のステップＳ９において、ムーブ対象コンテンツであるコンテンツＩＤ「Ｃ」のコンテンツ情報がＨＤＤ３１にムーブされた直後のコンテンツ情報が、図４（ａ）に示した状況にあるものとする。すなわち、コンテンツ情報「Ａ」〜「Ｄ」のうち、コンテンツＩＤが「Ｃ」のコンテンツ情報の視聴が不可能な状態（不可視の状態）になっている。このとき、図４（ａ）の右側の空き領域の容量は２１５０ＭＢであり、このままの状態では、不正な者によって、図４（ｂ）に示したように、ムーブ対象コンテンツ情報であったコンテンツＩＤ「Ｃ」のコンテンツ情報（８００ＭＢ）が、ムーブ処理前にＰＣ等の他の記録媒体にバックアップされ、コンテンツ情報のムーブ処理が行われた後に、他の記録媒体から、ＤＶＤ２１の空き領域に追記されてしまう可能性がある。このように、不正に追記されたコンテンツ情報が前述のようなＣＰＲＭ等のメディアキーを用いた暗号化手法によって暗号化されている場合には、既にムーブ対象コンテンツ情報がＨＤＤ３１に対してムーブされてしまっており、視聴不可能であるべきにもかかわらず、ＤＶＤ２１のメディアキーを用いて視聴されてしまう。このような不正行為を防ぐために、本発明の実施の形態１におけるコンテンツ情報管理装置１のファイル管理部６の抑止処理部９は、図４（ｃ）に示すように、Ｒ媒体であるＤＶＤ２１の空き領域に対して、再度ムーブ対象コンテンツ情報を記録することができない容量、具体的には、ムーブ対象コンテンツ情報の容量（８００ＭＢ）よりも空き領域（図４（ｃ）における領域Ｆ）が少なくなるように、すなわち、２１５０ＭＢの空き容量が、８００ＭＢ未満となるように、ＤＶＤ２１に対して、その差分の１３５０ＭＢを超える空き領域について、任意の情報（図４（ｃ）における領域Ｅ）を書き込む。
【００７３】
ここで、抑止処理部９が、ＤＶＤ２１の空き容量に対して書き込むべき情報は、任意の情報で構わない。例えば、００ｈまたはＦＦｈのような固定された情報であっても構わないし、著作権保護されたコンテンツ情報が別の媒体にムーブされたことを示す映像を埋め込んでも構わない。本実施の形態においては、ＤＶＤ２１はＲ媒体であるので、情報を書き換えることが難しいので、空き容量さえムーブ対象コンテンツの容量よりも少なくしておくことにより、ムーブ処理前にＰＣ等の他の記録媒体にバックアップされ、コンテンツ情報のムーブ処理が行われた後に、他の記録媒体から、ＤＶＤ２１の空き容量の部分に追記され、視聴されてしまうというような不正行為を防ぐことが可能となる。さらに、コンテンツ情報が別の媒体へムーブされたことを示す映像を埋め込むことにより、ムーブを行われたことを忘れてしまったユーザ等に対しても、何故コンテンツ情報が再生不可能になっているのかを思い出させることができる。
【００７４】
このような抑止処理を行うことにより、図４（ｄ）に示したように、ＤＶＤ２１の空き領域Ｆの容量は、ムーブ対象コンテンツ情報「Ｃ」の容量よりも小さくなるので、ムーブ対象コンテンツ情報を元に戻される不正行為を未然に防ぐことが可能である。
【００７５】
ステップＳ１０におけるファイル管理部６の抑止処理部９による抑止処理が終了した後に、制御部３は、ＤＶＤ駆動部２５に命じて、ＤＶＤ２１の開閉部２２の開閉制限を解除して、処理を終了する（Ｓ１１）。これにより、ユーザはＤＶＤ２１を装置から取り出すことが可能となる。
【００７６】
以上述べたように、本発明の実施の形態１におけるコンテンツ情報管理装置１によれば、ムーブ対象コンテンツ情報が、他の記録媒体にムーブされた後に、再度そのムーブ対象コンテンツ情報が追記できないように、空き容量に任意の情報を追記することにより、空き容量を少なくすることができるので、ムーブ対象コンテンツ情報を、元の記録媒体から他の記録媒体へのムーブ処理が行われる以前にさらに他の記録媒体にバックアップしておいて、ムーブ対象コンテンツ情報が他の記録媒体へのムーブ処理が行われた後に、さらに他の記録媒体から元の記録媒体に追記され、視聴されるという不正な行為を未然に防ぐことが可能である。
【００７７】
なお、本発明の実施の形態１においては、ファイル管理部６の抑止処理部９は、Ｒ媒体であるＤＶＤ２１の空き容量が少なくなるように、任意の情報を書き込む手段であるとして説明を行ったが、本発明のコンテンツ情報管理装置の抑止処理部９は、このような手段に限定されない。
【００７８】
例えば、本発明のコンテンツ情報管理装置の抑止処理部９は、Ｒ媒体であるＤＶＤ２１にファイナライズ処理を行う手段であってもよい。図５は、このような、本発明の実施の形態１におけるコンテンツ情報管理装置１の抑止処理部９のさらに別の例を説明するための図である。図５（ａ）は、前述のステップＳ９において、ムーブ対象コンテンツであるコンテンツＩＤ「Ｃ」のコンテンツ情報がＨＤＤ３１にムーブされた直後のコンテンツ情報の状況を示すものである。すなわち、コンテンツ情報「Ａ」〜「Ｄ」のうち、コンテンツＩＤが「Ｃ」のコンテンツ情報の視聴が不可能な状態（不可視の状態）になっている。抑止処理部９は、このようなＤＶＤ２１に記録されたＬｅａｄ−ｉｎ情報５６を有するコンテンツ情報５５に対して、図５（ｂ）に示したような、Ｌｅａｄ−ｏｕｔ情報５８を追記することによって、これ以上、Ｒ媒体であるＤＶＤ２１に情報を書き込むことをできなくする。このように、抑止処理部９として、Ｒ媒体であるＤＶＤ２１をファイナライズするような手段を用いることによっても、ムーブ対象コンテンツ情報を、元の記録媒体から他の記録媒体へのムーブ処理が行われる以前にさらに他の記録媒体にバックアップしておいて、ムーブ対象コンテンツ情報が他の記録媒体へのムーブ処理が行われた後に、さらに他の記録媒体から元の記録媒体に追記され、視聴されるという不正な行為を未然に防ぐことが可能である。
【００７９】
（実施の形態２）
本発明の実施の形態１においては、コンテンツ情報管理装置１の抑止処理部９として、Ｒ媒体であるＤＶＤ２１の空き領域に、任意の情報を書き込んだり、媒体そのものをファイナライズ処理したりすることにより、空き領域に後からムーブ対象コンテンツ情報を追記されることを防ぐことを可能にする構成を示した。
【００８０】
しかしながら、実施の形態１の構成においては、Ｒ媒体であるＤＶＤ２１のムーブ対象コンテンツ情報は、ムーブ後に、ＶＡＴ変換テーブルを追記することにより、ムーブ対象コンテンツ情報を見えない状態とすることはできたが、実際には、ムーブ後にも、ムーブ対象コンテンツ情報の実コンテンツ情報は、Ｒ媒体であるＤＶＤ上に存在しており、ファイルシステムについての十分な知識を有する不正な者によって、ＤＶＤ２１上に残存する古いＶＡＴ変換テーブルやファイルエントリ情報が読み取られ、ムーブされた後のムーブ対象コンテンツ情報を視聴されてしまう可能性がまったくないとはいえない。
【００８１】
そこで、次に、本発明の実施の形態２におけるコンテンツ情報管理装置５０として、このような、ファイルシステムについての十分な知識を有する不正な者によって、ＤＶＤ２１上に残存する古いＶＡＴ変換テーブルやファイルエントリ情報が読み取られても、ムーブされた後のムーブ対象コンテンツ情報を視聴される可能性を著しく低くすることのできる構成を説明する。
【００８２】
本発明の実施の形態２におけるコンテンツ情報管理装置５０の構成を図６に示す。図６は、本発明の実施の形態２におけるコンテンツ情報管理装置５０の構成を示すブロック図である。
【００８３】
本発明の実施の形態２におけるコンテンツ情報管理装置５０が、実施の形態１において説明したコンテンツ情報管理装置１と異なるところは、ＤＶＤ装置５１が、ＤＶＤ駆動部５２によって駆動される、ヘッド部５４の光ヘッドによって媒体であるＤＶＤ２１に照射する光線の出力を増幅する光増幅部５３を備えている点であり、また、抑止処理部５９が行う処理も、実施の形態１における抑止処理部９とは若干異なる点である。
【００８４】
その他の構成については、本発明の実施の形態２におけるコンテンツ情報管理装置５０は、実施の形態１におけるコンテンツ情報管理装置１と共通するので、共通する構成要素には同一の符号を付して、それぞれの説明は省略する。
【００８５】
図６に示したように、本発明の実施の形態２におけるコンテンツ情報管理装置５０においては、ＤＶＤ２１に対して照射する光の出力を増幅することのできる光増幅部５３を有しているので、Ｒ媒体であるＤＶＤ２１において、既に何らかの情報が記録された部分に対しても、出力を増大したレーザ光線を照射することによって、その部分を物理的に変化させることによって、情報が読み取りできないようにすることができる。
【００８６】
このような光増幅部５３を有するドライブ装置としては、例えば、コピー制限されたコンテンツ情報については、通常の再生レーザパワーよりも大きなレーザパワーを照射して再生を行うことにより、記録されたデータを劣化させて無制限のデータの利用を防止することのできる装置が知られており、この装置を用いることができる。このような装置としては例えば、特開平８−１４７８５６号に提案されている構成のものを用いることができる。
【００８７】
本発明の実施の形態２におけるコンテンツ情報管理装置５０の動作について、実施の形態１におけるコンテンツ情報管理装置１の動作の説明に用いた図３を用いて説明する。本発明の実施の形態２におけるコンテンツ情報管理装置５０も、実施の形態１におけるコンテンツ情報管理装置１の動作ステップと共通した動作ステップを実行するが、ステップＳ９のムーブ処理の内容が異なる。
【００８８】
ここで、本発明の実施の形態２におけるコンテンツ情報管理装置５０のＤＶＤ２１には、図７（ａ）に示したような、「Ａ」〜「Ｄ」の４つのコンテンツ情報６０が記憶されているものとする。図７は、本発明の実施の形態２におけるコンテンツ情報管理装置５０の抑止処理部５９の処理を説明するための図である。本実施の形態においても、４つのコンテンツ情報のうち、コンテンツＩＤが「Ｃ」であるコンテンツ情報がムーブ対象コンテンツ情報であるとする。また、説明を簡単にするために、コンテンツＩＤ「Ａ」〜「Ｄ」をデータ領域として有するストリームファイルのファイルエントリ情報（ＦＥ）と、ＶＡＴ変換テーブルのみを記載しているが、その他にナビゲーションファイル等が記録されているということは言うまでも無い。
【００８９】
まず、ステップＳ９において、ムーブ対象コンテンツ情報がＨＤＤ３１へコピーされた後、制御部３は、抑止処理部５９に指示して、抑止処理部５９はＤＶＤ駆動部５２に命じて、ムーブ対象コンテンツ情報たるコンテンツＩＤが「Ｃ」であるコンテンツ情報の実コンテンツ部分について、光増幅部５３によって、出力を上げたレーザ光を照射して、図７（ｂ）に示したように、実コンテンツ情報を読み出せないようにする処理を行う。
【００９０】
ステップＳ９における、ムーブ対象コンテンツ情報のムーブ処理が完了した後に、ステップＳ１０において、実施の形態１におけるコンテンツ情報管理装置１で説明したように、抑止処理部５９は、ＤＶＤ２１のコンテンツ情報６０の空き容量が、ムーブ対象コンテンツ情報の容量よりも小さくなるように、任意の情報を空き領域に書き込む（Ｓ１０）。
【００９１】
なお、ステップＳ１０において、抑止処理部５９は、ＤＶＤ２１のコンテンツ情報６０の空き容量の部分に任意の情報を書き込むことも可能であるし、実施の形態１で説明したように、図８（ａ）に示したような、Ｌｅａｄ−ｉｎ情報６２を有するコンテンツ情報６１に対して、図８（ｂ）に示したように、そのムーブ対象コンテンツ情報の実コンテンツ部分を読み出せないような処理を行うととともに、Ｌｅａｄ−ｏｕｔ情報６４を付すことにより、コンテンツ情報６３をファイナライズ処理することも可能である。
【００９２】
これらの処理を行うことにより、本発明の実施の形態２におけるコンテンツ情報管理装置５０によれば、ムーブ対象コンテンツ情報が元の記録媒体から他の記録媒体にムーブされた後に、元の記録媒体におけるムーブ対象コンテンツ情報の実コンテンツ部分を、光増幅部５３によって出力を増幅したレーザ光線によって照射することによって、その部分を読み出し不可能にすることができるので、ファイルシステムについての十分な知識を有する不正な者によって、ＤＶＤ２１上に残存する古いＶＡＴ変換テーブルやファイルエントリ情報が読み取られても、ムーブされた後のムーブ対象コンテンツ情報を視聴される可能性を著しく低くすることができる。
【００９３】
なお、本発明の実施の形態２においては、抑止処理部５９が、ムーブ対象コンテンツ情報のムーブ後に、元の記録媒体におけるムーブ対象コンテンツ情報の実コンテンツ部分のみを照射して読み取り不可能にすることも可能であるし、ムーブ対象コンテンツ情報の実コンテンツ部分のみならず、ムーブ実行前の古いファイルエントリ情報や古いＶＡＴ変換テーブルをも読み取り不可能にすることも可能である。さらに、ムーブ対象コンテンツ情報の実コンテンツ部分は残しておいて、ムーブ実行前の古いファイルエントリ情報や古いＶＡＴ変換テーブルのみを読み取り不可能とすれば、少ない領域を読み取り不可能とすることにより、ムーブ対象コンテンツ情報の視聴を不可能にすることができ、実用的である。また、実コンテンツ部分を読み取り不可能にする場合には、ＭＰＥＧ−ＭＯＶＩＥ規格のファイルであれば、Ｉピクチャ情報を選択的に読み取り不可能にすることで、実質的にコンテンツ情報全体を読み取り不可能にすることができる。
【００９４】
さらに、ムーブ対象コンテンツ情報の実コンテンツ部分のみを読み取り不可能として、対応するファイルエントリ情報については読み取りできるようにしておくことにより、ユーザに対して、ムーブ対象コンテンツ情報が存在したことと、既にムーブが行われているために、視聴ができないことを知らしめることができる。このような場合に、ユーザに対しては、制御部３は、図９に示したような表示画面７０（「このコンテンツは、他の媒体にＭＯＶＥされましたので、視聴することができません」を作成して、出力部１４を通して、視聴したいコンテンツが既に他の媒体にムーブされており、視聴できないことをユーザに知らせることができる。また、一の著作権保護されたコンテンツ情報のムーブによって、抑止処理が実施された後でも、他の著作権保護されたコンテンツ情報へのアクセスを抑止処理の前と同様に扱うことが可能であるため、異なるタイミングで個別の著作権保護されたコンテンツ情報をムーブすることが可能となる。図９は、本発明の実施の形態２におけるコンテンツ情報管理装置５０からユーザに対して出力される表示画面の一例を示す図である。
【００９５】
また、本発明の実施の形態２におけるコンテンツ情報管理装置５０においては、ムーブ対象コンテンツ情報の実コンテンツ部分のみを読み取り不可能とするが、このとき、ムーブ対象コンテンツ情報の実コンテンツ部分が、他のコンテンツ情報とＥＣＣ（Ｅｒｒｏｒ  Ｃｏｒｒｅｃｔｉｎｇ  Ｃｏｄｅ）が付与される３２ＫＢ毎の領域（以下、ＥＣＣ領域と記す）を共有してしまったような場合に、誤ってＥＣＣ領域を読み取り不可能にしてしまって、他のコンテンツ情報に対して影響を与えてしまわないとも限らない。このような不具合を防止するために、本発明の実施の形態２におけるコンテンツ情報管理装置５０のファイル管理部６は、以下のような処理を行うことが望ましい。
【００９６】
図１０は、本発明の実施の形態２におけるコンテンツ情報管理装置５０において、同じＥＣＣ領域内に、異なるコンテンツ情報が記憶されているときの処理について説明するための図である。
【００９７】
図１０（ａ）に示したように、本発明の実施の形態２におけるコンテンツ情報管理装置５０において、ムーブ対象コンテンツ情報Ａが、他のコンテンツ情報Ｂと同一のＥＣＣ領域８４に記録されているような場合、ファイル管理部６の読出処理部７は、まず、図１０（ｂ）に示したような、同一のＥＣＣ領域８４に記憶された、ムーブ対象コンテンツ情報Ａおよび他のコンテンツ情報Ｂのうち、ムーブ対象ではない方のコンテンツ情報、この場合には、コンテンツ情報Ｂを読み出して、書込処理部８は、コンテンツ情報ＢのＥＣＣ領域８４に含まれていた部分のみを含むようなＥＣＣ領域８５を、図１０（ｃ）に示すように、空き領域に新たに作成する。尚、本実施例ではＥＣＣ領域８５の先頭部分に、同一のＥＣＣ領域８４に記憶されたコンテンツ情報Ｂのみを記録する例を示したが、００ｈまたはＦＦｈのような固定のデータを追加して、ＥＣＣ領域８４と同じ配置にコンテンツ情報Ｂを記録しても良い。
【００９８】
ここで、ＥＣＣ領域８４内のコンテンツ情報ＢがＥＣＣ領域８５へ移動したことを示すため、コンテンツ情報管理装置５０は、ＤＶＤ２１に新しいファイルエントリ情報を書き込み、古いファイルエントリ情報を無効化する。以下、図１１を用いてこの処理の具体例を述べるが、説明を簡単にするため、コンテンツ情報Ｂが記憶されている領域の直後にあるファイルエントリ情報やＶＡＴ等の管理情報は図示していない。また、さらに説明を簡単にするため、ファイルエントリ情報やＶＡＴ等の大きさは０である（すなわち、記憶領域を占有しない）ものとして説明を進める。図１１（ａ）は、抑止処理を開始する前のファイルエントリ情報を示しており、コンテンツ情報Ｂの記憶されている領域の直後に格納されている情報である。この情報は、コンテンツ情報Ａが記録アドレス９６０から９９９までの４０セクタ分の記憶領域に記憶されていることと、コンテンツ情報Ｂが記録アドレス１０００から１０３９までの４０セクタ分の記憶領域に記憶されていることを示している。この時、コンテンツ情報ＢのうちＥＣＣ領域８４に含まれていた情報（８セクタ分の情報であったとする）がＥＣＣ領域８５へ移動されたことを示すために図１１（ｂ）に示したような情報を持った新しいファイルエントリ情報が作成される。図１１（ｂ）では、コンテンツ情報Ｂの記憶領域を示すアドレス情報８６がアドレス情報８７に置き換えられている。すなわち、アドレス情報８７は、コンテンツ情報Ｂのうち最初の８セクタ分が空き領域の始まり（すなわち、ＥＣＣ領域８５）を示す記録アドレス１０４０から８セクタに記録されており、残りの３２セクタは抑止処理を行う以前と同一の場所である記録アドレス１００８から記録アドレス１０３９に記録されていることを示している。その後、ＥＣＣ領域８５内に移動されたコンテンツ情報Ｂの直後の領域に作成した新しいファイルエントリ情報をＤＶＤ２１に追記した後、新しいファイルエントリ情報を用いるよう修正した新しいＶＡＴを追記することにより、古いファイルエントリ情報を無効化する。この一連の処理により、コンテンツ情報Ｂを読み出す際には、記録アドレス１０４０からコンテンツ情報Ｂの最初８セクタ分の情報が読み出された後に記録アドレス１００８から残り３２セクタ分の情報が読み出されることとなるため、抑止処理が行われてＥＣＣ領域８４が読み出し不可能となった場合であっても、コンテンツ情報Ｂを正しく読み出すことが出来るようになる。なお、上記ではファイルエントリ情報やＶＡＴ等は記憶領域を占有しないものとしたが、実際にはこれらの情報も記憶領域を占有するため、アドレス情報８７の記録アドレス１０４０は、古いファイルエントリ情報および古いＶＡＴの格納に必要となる容量の分だけ後ろにずらされることとなる。
【００９９】
その後、図１０（ｄ）に示すように、抑止処理部５９は、ＥＣＣ領域８４に対して前述の、情報を読み出し不可能とするような抑止処理を行う。このような処理を行うことによって、ＥＣＣ領域８４に記録されたムーブ対象コンテンツ情報であるコンテンツ情報Ａの情報を読み出し不可能にすることができるとともに、その情報と同じＥＣＣ領域８４に記憶されていた他のコンテンツ情報Ｂについては、新たに作成されたＥＣＣ領域８５に記憶させることによって、抑止処理の影響を受けることがない構成を実現することができる。一般に、このような、異なるコンテンツ情報が同一のＥＣＣ領域８４に記録される場合は稀であるが、一つのコンテンツ情報を複数のコンテンツ情報に分割した場合には、このような場合が起こりうる。本発明の実施の形態２におけるコンテンツ情報管理装置５０においては、このような、同一のコンテンツ情報を複数のコンテンツ情報に分割したような場合にも、その分割したコンテンツ情報の一部について、抑止処理をともなったムーブ処理を行うことが可能である。
【０１００】
（その他変形例）
なお、本発明を上記実施の形態に基づいて説明してきたが、本発明は、上記の実施の形態に限定されないのはもちろんである。以下のような場合も本発明に含まれる。
【０１０１】
（１）本発明の実施の形態２においては、光増幅部５３によって出力を増幅されたレーザ光線を媒体に照射することによって、ムーブ対象コンテンツ情報を読み取り不可能にする例を示したが、本発明はこの例に限定されない。
【０１０２】
例えば、通常のコンテンツ情報の読み取りおよび書き込みに用いるヘッド部５４とは別に、さらに出力の大きなレーザ光線、例えば、ＹＡＧレーザを発生するような第２のヘッド部（図示せず）を別途備えることにより、ムーブ対象コンテンツ情報が他の記録媒体にコピーされた後に、Ｒ媒体であるＤＶＤ２１のメディアキーの記録されたＢＣＡ（Ｂｕｒｓｔ  Ｃｕｔｔｉｎｇ  Ａｒｅａ）を焼ききって、強制的に読み出し不能にするとしてもよい。これにより、メディアキーを用いた復号化をできなくすることができるので、ムーブ対象コンテンツ情報がムーブされた後に、元の記録媒体上では、ＣＰＲＭ等のメディアキーを用いて暗号化されたコンテンツ情報を再生することができない構成を実現できる。なお、このような場合には、以降、コンテンツ情報をメディアキーを用いて復号化することができなくなるので、ＢＣＡを焼ききる前に、ＤＶＤ２１に記憶されたコンテンツ情報のうち、メディアキーを用いて暗号化されたコンテンツ情報を全て他の記録媒体にムーブさせておくことが望ましい。
【０１０３】
（２）上記実施の形態で示した構成に加え、コンテンツ情報管理装置は、電源断が発生した場合のために処理の実行状況を記憶する半導体メモリ等の不揮発性メモリを備えていてもよい。このような構成とすることで、例えば、抑止処理が必要な処理の実行中に電源断が発生した場合等に備え、ムーブ開始時にこれから実行するムーブ処理に係る情報（具体的には、ムーブ元の媒体の種類やムーブ対象のコンテンツのコピー制限情報等）を半導体メモリ等の不揮発性メモリに記録することができる。この場合、コンテンツ情報管理装置１は、さらに電源断が回復した際に復旧処理として、不揮発性メモリから読み出した情報から電源断が発生した時点で実行していた処理が抑止処理を必要とするものか否かを判断し、抑止処理が必要な処理中に電源断が発生していたと判断される場合に抑止処理を再開する、という動作を行うことができる。これにより、抑止処理前に電源を切ることによって抑止処理を中止させるという不正行為を行われる危険性を軽減することが可能になる。また、このとき、上記実施の形態での抑止処理と同様に、復旧処理として実行される抑止処理についても、処理が完了するＤＶＤ２１の開閉部２２を開閉制限するとしてもよい。
【０１０４】
さらに、ムーブ開始前のみではなく、コンテンツ情報のムーブの完了後、抑止処理を開始する時点において、コンテンツ情報のムーブが完了した旨を不揮発性メモリに記録させてもよい。この場合、再起動時の立ち上げ処理として、電源断が発生した際にコンテンツ情報のムーブが完了していたか否かを判断することができ、コンテンツ情報のムーブが完了していた場合には抑止処理を継続して行い、コンテンツ処理のムーブが未完了であった場合には移動先記録媒体中の不完全なコンテンツ情報を００ｈまたはＦＦｈのような固定のデータで上書きして無効化するという処理を行うことができる。これにより、電源断が生じた場合に、移動先記憶媒体中に未完全なコンテンツ情報しか記憶されていないにも関わらず、移動元のディスクに対して抑止処理が行われてしまうことで完全なコンテンツ情報が消失してしまうという危険を軽減することができ、さらに、未完全なコンテンツ情報を無効化することにより、電源断によって不完全なコンテンツ情報が不正に複製される危険性をも軽減することが出来る。
【０１０５】
なお、上記では、ムーブ処理に係る情報の記憶先として半導体メモリ等の不揮発性メモリを用いたが、これに限られる物ではなく、電源断が発生しても記録された情報が失われないような媒体であればどのような物を用いても構わない。具体的な例としては、ＨＤＤ３１や外部のハードディスク装置に記録する方法や、さらにはコンテンツ情報管理装置に別のＤＶＤ装置を追加し、追加したＤＶＤ装置を介して、ＤＶＤ２１とは異なるＤＶＤに記録する等の方法が考えられる。
【０１０６】
（３）本発明の実施の形態２において説明した特徴に加え、コンテンツ情報管理装置５０は、ムーブ処理を指示された場合に、ＤＶＤ装置５１がＲ媒体上にすでに記録されているデータを物理的に変化させることができるだけの出力でレーザ光線を照射できるのか否かを確認し、十分な出力のレーザが照射できると確認された場合にのみ、ムーブ処理を許可するとしてもよい。これにより、ＤＶＤ装置５１が、ＤＶＤ２１上の実コンテンツ情報を物理的に変化させる等の抑止処理を行う能力を持たない場合には、ムーブ処理自体を禁止することができるので、より確実に不正行為を防止することができる。
【０１０７】
（４）本発明の実施の形態においては、コンテンツ情報管理装置１、５０に内蔵されたＤＶＤ２１に記録されたコンテンツ情報が、同じ装置内のＨＤＤ３１に対してムーブされる場合を用いて説明を行ったが、本発明のコンテンツ情報管理装置はこの例に限定されるものではない。例えば、コンテンツ情報管理装置１、５０がＤＶＤ２１のみを搭載しており、コンテンツ情報のムーブは、他の機器に対して行われる構成であってもよいことはいうまでもない。
【０１０８】
（５）本発明の実施の形態においては、コンテンツ情報管理装置１、５０に格納される記録媒体の例として、Ｒ媒体のＤＶＤ２１を用いて説明したが、本発明のコンテンツ情報管理装置は、この例に限定されるものではない。例えば、ＣＤ−Ｒや、ＢＤ−Ｒ等、あらゆる情報の上書きが難しい追記型の記録媒体に対して適用可能であることはいうまでもない。
【０１０９】
（６）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１１０】
（７）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０１１１】
（８）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０１１２】
（９）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１１３】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。
【０１１４】
また、本発明は、前記コンピュータプログラムまたは前記デジタル信号を、電気通信回線、無線または有線通信回線、インターネットを代表とするネットワーク、データ放送等を経由して伝送するものとしてもよい。
【０１１５】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０１１６】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【０１１７】
（１０）上記実施の形態及び上記変形例をそれぞれ組み合わせるとしてもよい。
【産業上の利用可能性】
【０１１８】
以上述べたように、本発明によれば、いわゆるＲ媒体に記録されたコピー制限されたコンテンツ情報を、再度ＨＤＤ等の他の記録媒体にムーブすることができるという優れた効果を有するので、映像、音声等のデジタルコンテンツ情報を管理するコンテンツ情報管理装置、コンテンツ情報管理方法およびコンテンツ情報管理プログラム等として有用である。
【図面の簡単な説明】
【０１１９】
【図１】本発明の実施の形態１におけるコンテンツ情報管理装置の概略構成を示すブロック図
【図２】本発明の実施の形態１におけるコンテンツ情報管理装置のコンテンツ管理情報記憶部に記憶されるコンテンツ管理情報の一例を示す図
【図３】本発明の実施の形態１におけるコンテンツ情報管理装置の動作ステップについて説明するためのフローチャート
【図４】本発明の実施の形態１におけるコンテンツ情報管理装置における抑止処理を説明するための図
【図５】本発明の実施の形態１におけるコンテンツ情報管理装置の抑止処理部のさらに別の例を説明するための図
【図６】本発明の実施の形態２におけるコンテンツ情報管理装置の構成を示すブロック図
【図７】本発明の実施の形態２におけるコンテンツ情報管理装置の抑止処理部の処理を説明するための図
【図８】本発明の実施の形態２におけるコンテンツ情報管理装置の抑止処理部の別の処理例について説明するための図
【図９】本発明の実施の形態２におけるコンテンツ情報管理装置からユーザに対して出力される表示画面の一例を示す図
【図１０】本発明の実施の形態２におけるコンテンツ情報管理装置において、同じＥＣＣ領域内に、異なるコンテンツ情報が記憶されているときの処理について説明するための図
【図１１】本発明の実施の形態２におけるコンテンツ情報管理装置において、同じＥＣＣ領域内に、異なるコンテンツ情報が記憶されているときの管理情報の更新処理について説明するための図
【符号の説明】
【０１２０】
１，５０    コンテンツ情報管理装置
２    入力部
３    制御部
４    コンテンツ情報管理部
５    コンテンツ管理情報記憶部
６    ファイル管理部
７    読出処理部
８    書込処理部
９，５９    抑止処理部
１０    デコード部
１１    読出／書込部
１２    読出部
１３    書込部
１４    出力部
２０，５１    ＤＶＤ装置
２１    ＤＶＤ
２２    開閉部
２３    媒体検知部
２４，５４    ヘッド部
２５，５２    ＤＶＤ駆動部
３０    ＨＤＤ装置
３１    ＨＤＤ
３２    ＨＤＤ駆動部
４１    コンテンツ情報管理テーブル
４２    記録媒体管理テーブル
５３    光増幅部
５５，５７，５９，６０，６１，６３    コンテンツ情報
５６，６２    ｌｅａｄ−ｉｎ情報
５８，６４    ｌｅａｄ−ｏｕｔ情報
７０    表示画面
８４，８５    ＥＣＣ領域
８６，８７    アドレス情報
【図１】
2006323553.tif 000003
【図２】
2006323553.tif 000004
【図３】
2006323553.tif 000005
【図４】
2006323553.tif 000006
【図５】
2006323553.tif 000007
【図６】
2006323553.tif 000008
【図７】
2006323553.tif 000009
【図８】
2006323553.tif 000010
【図９】
2006323553.tif 000011
【図１０】
2006323553.tif 000012
【図１１】
2006323553.tif 000013